(57)【要約】      （修正有）【課題】襟やカフスが汚れても襟やカフスのみを交換することですむカッターシャツであり、またシーンやシチュエーションに合わせたカッターシャツを予め揃えておけば、色柄で個性を出せる生地・素材や幅形のバリエーションやデザインの襟やカフスを選んで交換するだけでお気に入りとして毎日でも着たくなる楽しみが倍加することができるカッターシャツを提供する。【解決手段】カッターシャツ１００の襟相当部に襟芯２００を取り付け、襟芯に交換用の襟２１０を着脱可能に取り付け、及びカッターシャツのカフス相当部にカフス芯３００を取り付け、カフス芯にカフス３１０を交換可能に取り付けた。【選択図】図１
0003233533.tif 000002
【実用新案登録請求の範囲】
【請求項１】
カッターシャツの襟相当部に襟芯を取り付け、前記襟芯に交換用の襟を着脱可能に取り付け、及び前記カッターシャツのカフス相当部にカフス芯を取り付け、前記カフス芯にカフスを交換可能に取り付けたことを特徴とするカッターシャツ。
【考案の詳細な説明】
【技術分野】
【０００１】  本考案は、カッターシャツ（：ワイシャツとも言う）に関する。
【背景技術】
【０００２】  カッターシャツは、主に白や淡色で男性の背広の下に着用し、主に白や淡色で男性の背広の下に着用するものである。また前開きの前身頃と後見頃に衿と両袖を取り付け、前身頃の一方の見立てにボタンを付け、他方の見立てにボタン穴を設け、両袖のカフス（：袖口）にボタンを付けて着用するスタイルである。
一般的な着用スタイルとしては、ネクタイを着用するのが一般的だが、ビジネスの現場においてオープンカラーでの着こなしも一般的になってきている。
また、カフスはボタンで留めるだけでなく、装飾カフスボタンを使用して留めることも可能なコンバーチブルタイプのカフスを選ぶとカッターシャツを華やかに演出することができる。【０００３】  これ等カッターシャツはビジネスマンに欠かせないスーツとネクタイと合わせて１年を通して最も長く着用される。特に暑い夏の時期（クールビズ）、汗をかく場面が自然と多くなる。そうすると増えてくるのが“ワイシャツの黄ばみ・襟やカフスの汚れ”である。【０００４】
【考案の概要】
【考案が解決しようとする課題】
【０００５】  本考案は、襟やカフスが汚れてもカッターシャツ自体を交換することなく汚れた襟やカフスのみを交換することですむカッターシャツであり、またカッターシャツを着るシーンやシチュエーションに合わせたカッターシャツをベースとして予め揃えておけば、色柄で個性を出せる生地・素材や幅形のバリエーションやデザインの襟やカフスを選んで交換するだけでお気に入りのカッターシャツとして毎日でも着たくなる楽しみが倍加することができるカッターシャツを提供する。
【課題を解決するための手段】
【０００６】  上記課題を満足させる本考案における主な技術構成は、次の（１）〜（２）の通りである。
（１）、カッターシャツの襟相当部に襟芯を取り付け、前記襟芯に交換用の襟を着脱可能に取り付け、及び前記カッターシャツのカフス相当部にカフス芯を取り付け、前記カフス芯にカフスを交換可能に取り付けたことを特徴とするカッターシャツ。
【考案の効果】
【０００７】  本考案のカッターシャツは前記の課題を満足するものである。即ち、襟やカフスが汚れてもカッターシャツ自体を交換することなく汚れた襟やカフスのみを前記芯襟や芯カフスから取り外して新しい襟やカフスに交換することですむ。
またカッターシャツを着るシーンやシチュエーションに合わせたカッターシャツをベースとして予め揃えておけば、色柄や織り方の生地や素材で幅広い形のバリエーションやデザインの襟やカフスを選んで前記芯襟や芯カフスに取り付けるだけでお気に入りのカッタシャツとして毎日でも着たくなる楽しみが倍加することができる等の優れた作用効果を呈する。
【図面の簡単な説明】
【０００８】
【図１】本考案におけるカッターシャツのベースを示す正面説明図（１）と、拡大して併記する襟の例（２）とカフスの例（３）、（４）である。
【図２】前記襟芯２００に対して付け替え用の襟の種類（１）〜（６）を示す正面図である。
【図３】前記カフス芯３００に対して付け替え用のカフスの種類（１）〜（６）を示す側面図である。
【考案を実施するための形態】
【０００９】  本考案を実施するための形態を図１に示す実施例により詳細に説明する。
図１において、本例のカッターシャツ１００は、主に白や淡色で男性の背広の下に着用するものであり、ベースＢと拡大して示す交換用の襟の例２１０（２）とカフスの例３１０（３）（４）を備えている。
【００１０】  前記ベースＢは、前開きの前身頃１０１と後見頃１０２の上部の襟相当部に襟芯２００を取り付けると共に、両袖１０４を取り付け、前身頃１０１の図に向かって左側の見立て１０５にボタン１０６を付け、右側の見立て１０７にボタン穴１０８を設け、両袖の１０４の下端のカフス相当部にカフス芯３００を取り付ける。
【００１１】  襟相当部の襟芯２００は、内側面に着脱ボタンや面ファスナー２０１を設けこれに交換用の襟２１０を装着する。襟２１０の背面には着脱ボタンや面ファスナー２１１を設け、この着脱ボタンや面ファスナー２１１は襟芯２００の前記着脱ボタンや面ファスナー２０１に装着する。
【００１２】  カフス相当部のカフス芯３００は、外側面に着脱ボタンや面ファスナー３０１を設けこれに交換用のカフス３１０を装着する。カフス３１０の裏面には前記着脱ボタンや面ファスナー３１１を設け、この着脱ボタンや面ファスナー３１１はカフス芯３００の着脱ボタンや面ファスナー３０１に装着する。
【００１３】  交換可能な前記襟２１０は、次の例に限定するものではないが、一般的な種類として図２に示す１．レギュラーカラー２１０−１、２．ショウトポイントカラー２１０−２、３．ロングポイントカラー２１０−３、４．ナロースプレットカラー２１０−４、５．ワインドスプレットカラー２１０−５、６．ボタンダウンカラー２１０−６が揚げられる。本考案はこれらの襟をカッターシャツを着るシーンやシチュエーションに合わせ任意に選択して装着することができる。以下にこれらの襟の特徴を参考に記載する。
【００１４】  １．レギュラーカラー２１０−１は図２の（１）に示し、その名の通り、ワイシャツの襟型の中でもっともスタンダードな襟型であり、襟羽の開きの角度は主に７０〜９０度程度。襟の開きが狭いので堅実で真面目な印象を与えられる。
２．ショウトポイントカラー２１０−２は、図２の（２）に示し、スモールカラーとも呼ばれ、衿羽開きはレギュラーとほぼ同じくらい（８０°程度）で、衿先は６０ｍｍ以下と短い。スポーティでカジュアルなイメージがある。
３．ロングポイントカラー２１０−３は、図２の（３）に示し、衿羽開きはレギュラーとほぼ同じくらい（８０°程度）で、衿先は９０〜１００ｍｍと長いのが特徴。衿が長い分、幾分ロングポイントの方がレギュラーよりも狭い印象になる。
４．ナロースプレットカラー２１０−４は、図２の（４）に示し、衿羽開きが狭い（６０°程度）。
５．ワインドスプレットカラー２１０−５は、図２の（５）に示し、衿羽開きが広く（１００〜１８０°程度、１２０°が多い）、襟足の高さは３８〜４２ｍｍ、襟の長さは７５〜８０ｍｍ。
伝統的な英国風スタイルで、ウィンザー公にちなんで「ウィンザーカラー」とも呼ばれる。
６．ボタンダウンカラー２１０−６は、図２の（６）に示し、襟の先端を前身頃にボタン２１２で留める衿型の総称。イギリスのポロ競技の選手が着ていた服がモデルで、ブルックス・ブラザーズの創業者ジョン・ブルックスが考案したのが始まりと言われている。カジュアルな典型的なアメリカン・スタイル。衿先を前身頃にスナップボタンで留めている衿型。
【００１５】  次に前記カフス３１０は、次の例に限定するものではないが、一般的な種類として図２に示す１．シングルカフス３１０−１、２．ダブルカフス２３１０−２、３．コンパチーブルカフス３１０−３、４．ターンナップカフス３１０−４、５．テニスカフス３１０−５などが揚げられる。本考案はこれらのカフスをカッターシャツを着るシーンやシチュエーションに合わせ任意に選択して装着することができる。以下にこれらの襟の特徴を参考に記載する。
１．シングルカフス３１０−１は、片方にボタン３１２、もう片方にボタンホール３１３がついているボタンで留める袖口です。最もシンプルな袖口で、フォーマルシーンではシングルカフスは欠かせないデザインです。
２．ダブルカフス３１０−２は、袖を折り返して２重にし、カフスボタン（カフリンクス）３１４で留める袖口です。ボタンがついていないため、カフリンクススタイルを楽しめます。フォーマル向きなデザインでエレガントさを演出してくれる。
３．コンパチーブルカフス３１０−３は、片方にボタン３１２が２つありその間にボタンホール３１３がついており、もう一方にボタンホール３１３がある袖口である。
４．ターンナップカフス３１０−４は、ダブルカフスのように折り返しはあるが、ボタン３１２で留められる袖口です。ドレッシーなシャツに多く、エレガントさを演出します。
５．テニスカフス３１０−５は、カフスボタン専用の袖口でボタンはなく両方にボタンホール３１３があるタイプです。カフス専用にシャツで最も正式にされている。
【産業上の利用可能性】
【００１６】  本考案は、前述の優れた作用効果を呈して一般家庭では勿論、被服産業に寄与と発展に貢献すること多大なものがある。
【符号の説明】
【００１７】１００：カッターシャツ                ２１０−２：ショウトポイントカラー
Ｂ：ベース                            ２１０−３：ロングポイントカラー
１０１：前身頃                        ２１０−４：ナロースプレットカラー
１０２：後見頃                        ２１０−５：ワインドスプレットカラー
１０４：両袖                          ２１０−６：ボタンダウンカラー
１０５：左見立て                      ３１０：交換用のカフス
１０６：ボタン                        ３０１：着脱ボタンや面ファスナー
１０７：右見立て                      ３１２：ボタン
１０８：ボタン穴                      ３１３：ボタンホール
２００：襟芯                          ３１４：カフスボタン（カフリンクス）
２０１：着脱ボタンや面ファスナー      ３１１：着脱ボタンや面ファスナー
２１０：交換用の襟                    ３１０−１：シングルカフス
２１１：着脱ボタンや面ファスナー      ３１０−２：ダブルカフス
２１２：ボタン                        ３１０−３：コンパチーブルカフス
３００：カフス芯                      ３１０−４：ターンナップカフス
２１０−１：レギュラーカラー          ３１０−５：テニスカフス
【図１】
0003233533.tif 000003
【図２】
0003233533.tif 000004
【図３】
0003233533.tif 000005